(57)【要約】【課題】広告主からの購入申し込みや広告コンテンツの入稿を可能とするとともに、適切にコンテンツが予約可能なコンテンツ管理装置等を提供すること。【解決手段】表示装置にコンテンツを表示する時間枠を指定するコンテンツ表示スケジュールを管理するコンテンツ管理装置において、コンテンツ表示スケジュールの空いている時間枠に表示するコンテンツを予約することができるが、このとき、予約するコンテンツの属性と、コンテンツを予約する時間枠の前後の時間枠にあるコンテンツの属性とが重複するかを判定し、重複しない場合にコンテンツの予約受付を可能とすることとなる。【選択図】図８
2018055276.tif 000002
【特許請求の範囲】
【請求項１】
表示装置にコンテンツを表示する時間枠を指定するコンテンツ表示スケジュールを管理するコンテンツ管理装置において、
前記コンテンツ表示スケジュールの空いている時間枠に表示するコンテンツを予約するコンテンツ予約手段と、
予約する前記コンテンツの属性と、前記コンテンツを予約する時間枠の前後の時間枠にある他のコンテンツの属性とが重複するかを判定する属性判定手段と、
を備え、
前記コンテンツ予約手段は、前記属性判定手段により、前記コンテンツと、前記他のコンテンツの属性が重複しない場合に前記コンテンツの予約受付を可能とすることを特徴とするコンテンツ管理装置。
【請求項２】
複数の表示装置が、広告グループとして設定されており、
前記属性判定手段は、予約する前記コンテンツの属性と、他の広告グループの表示装置において当該コンテンツと同一の時間枠に予約されている他のコンテンツの属性とが重複するかを判定することを特徴とする請求項１に記載のコンテンツ管理装置。
【請求項３】
前記表示装置は複数の場所に設置されており、
前記属性判定手段は、予約する前記コンテンツの属性と、配置される場所が近傍の表示装置において当該コンテンツと同一の時間枠に予約されている他のコンテンツの属性とが重複するかを判定することを特徴とする請求項１又は２に記載のコンテンツ管理装置。
【請求項４】
前記属性判定手段は、予約する前記コンテンツの属性と、配置される場所が近傍の表示装置において当該コンテンツの前後の時間枠にある他のコンテンツの属性とが重複するかを判定することを特徴とする請求項３に記載のコンテンツ管理装置。
【請求項５】
前記コンテンツ表示スケジュールに基づいた、タイムスケジュールを表示するタイムスケジュール表示手段を更に有し、
前記タイムスケジュール表示手段は、前記コンテンツが予約されている時間枠には、予約されている当該コンテンツの属性が表示されることを特徴とする請求項４に記載のコンテンツ管理装置。
【請求項６】
前記タイムスケジュール表示手段は、前記コンテンツが予約されている時間枠には、予約が出来ない旨の表示を行うことを特徴とする請求項５に記載のコンテンツ管理装置。
【請求項７】
前記タイムスケジュール表示手段は、予約する前記コンテンツの属性と、前後の時間枠にある前記他のコンテンツの属性とが重複する場合には、予約が出来ない旨の表示を行うことを特徴とする請求項５に記載のコンテンツ管理装置。
【請求項８】
表示装置にコンテンツを表示する時間枠を指定するコンテンツ表示スケジュールを管理するコンテンツ管理装置において、
前記コンテンツ表示スケジュールに基づいて、前記表示装置にコンテンツが表示されるタイムスケジュールを表示するタイムスケジュール表示手段と、
前記タイムスケジュールの中で、空いている時間枠に、前記表示装置に表示するコンテンツが予約可能であることを予約可能時間枠として表示するコンテンツ予約枠表示手段と、
前記予約可能時間枠の中から、前記表示するコンテンツの予約を行うコンテンツ予約手段と、
を備え、
前記コンテンツ予約枠表示手段は、予約する前記コンテンツの属性と、前記予約可能時間枠の前後の時間枠にある他のコンテンツの属性とが重複する場合には前記予約可能時間枠を非表示とすることを特徴とするコンテンツ管理装置。
【請求項９】
表示装置と、コンテンツ管理装置とを含むコンテンツ表示システムにおいて、
前記コンテンツ管理装置は、
前記表示装置にコンテンツを表示する時間枠を指定するコンテンツ表示スケジュールを管理する管理手段と、
前記コンテンツ表示スケジュールの空いている時間枠に表示するコンテンツを予約するコンテンツ予約手段と、
予約する前記コンテンツの属性と、前記コンテンツを予約する時間枠の前後の時間枠にある他のコンテンツの属性とが重複するかを判定する属性判定手段と、
前記コンテンツ表示スケジュールにしたがって、前記コンテンツを前記表示装置に送信する送信手段と、
を備え、
前記表示装置は、
前記コンテンツを受信し、当該コンテンツを表示するコンテンツ表示手段と、
を備え、
前記コンテンツ予約手段は、前記属性判定手段により、前記コンテンツと、前記他のコンテンツの属性が重複しない場合に前記コンテンツの予約受付を可能とすることを特徴とするコンテンツ表示システム。
【請求項１０】
表示装置にコンテンツを表示する時間枠を指定するコンテンツ表示スケジュールを管理するコンテンツ管理装置におけるコンテンツ予約方法において、
前記コンテンツ表示スケジュールの空いている時間枠に表示するコンテンツを予約するコンテンツ予約ステップと、
予約する前記コンテンツの属性と、前記コンテンツを予約する時間枠の前後の時間枠にある他のコンテンツの属性とが重複するかを判定する属性判定ステップと、
を有し、
前記コンテンツ予約ステップは、前記属性判定ステップにより、前記コンテンツと、前記他のコンテンツの属性が重複しない場合には前記コンテンツの予約受付を可能とすることを特徴とするコンテンツ予約方法。
【請求項１１】
表示装置にコンテンツを表示する時間枠を指定するコンテンツ表示スケジュールを管理するコンテンツ管理装置におけるコンテンツ予約方法において、
前記コンテンツ表示スケジュールに基づいて、前記表示装置にコンテンツが表示されるタイムスケジュールを表示するタイムスケジュール表示ステップと、
前記タイムスケジュールの中で、空いている時間枠に、前記表示装置に表示するコンテンツが予約可能であることを予約可能時間枠として表示するコンテンツ予約枠表示ステップと、
前記予約可能時間枠の中から、前記表示するコンテンツの予約を行うコンテンツ予約ステップと、
を有し、
前記コンテンツ予約枠表示ステップは、予約する前記コンテンツの属性と、前記予約可能時間枠の前後の時間枠にある他のコンテンツの属性とが重複する場合には前記予約可能時間枠を非表示とすることを特徴とするコンテンツ予約方法。
【発明の詳細な説明】
【技術分野】
【０００１】
本発明は、デジタルサイネージシステムなどに使用されるコンテンツ管理装置におけるコンテンツの制御、コンテンツ表示スケジュールの管理、表示装置へのコンテンツ配信を制御するコンテンツ管理装置等に関する。
【背景技術】
【０００２】
近年、駅の構内や、ショッピングセンターといった人の多いところに、表示装置を配置し、そこに広告等のコンテンツを表示するいわゆるデジタルサイネージが普及している。
【０００３】
デジタルサイネージにおけるビジネス形態は、一般的には、鉄道事業者、ショッピングモールの運営者といったロケーションオーナー（管理者）が、デジタルサイネージシステムを設置し、デジタルサイネージの利用者である広告主に広告枠（決められた時間帯の時間枠）を販売するものである。そして、当該広告枠には、広告コンテンツ等が表示されるものである。
【０００４】
ここで、コンテンツを配信するには、広告順序スケジュールや配信スケジュールを作成する必要がある。そこで、これらのスケジュールを作成する方法は、従来の広告システムではいくつか提案されている。例えば、特許文献１には、広告に共通の複数の属性を用意し、広告ごとに数値化し付加し、広告ＤＢ１０５に蓄積する。予め配信すべき時間帯が指定されていない広告に対してはそれぞれの属性ごとに重み付けを行い、配信側、視聴者側からの配信条件を反映した配信頻度、配信順序を決定し、広告順序スケジュールを作成する。予め配信時間帯、配信頻度が指定されている広告に対してはスケジュール化を行い、配信タイムスケジュールを作成する。上記２つのスケジュールを配信スケジュールとしてまとめ、それに基づき時刻を見ながら配信側から視聴者に広告を配信し、視聴者側の表示部に表示するといった発明が開示されている。
【先行技術文献】
【特許文献】
【０００５】
【特許文献１】特開２００１−２３６４４４号公報
【発明の概要】
【発明が解決しようとする課題】
【０００６】
ここで、デジタルサイネージシステムは、各表示装置において、表示されるコンテンツをデジタルサイネージシステム管理者（以下、管理者）が登録する必要があった。具体的には、コンテンツを表示するスケジュールを、管理者が指定し、各表示装置にスケジュールと対応するコンテンツをセットで配信することにより、各表示装置はスケジュールに沿ってコンテンツを表示することとなる。
【０００７】
したがって、これらのコンテンツ表示スケジュールを作成する場合、管理者の作業が多くなってしまうという問題が生じていた。
【０００８】
とくに、広告コンテンツの場合、たとえばＡ社のビールのＣＭのあと、Ｂ社のビールのＣＭなど属性（カテゴリー）として同じものが続けて表示されないことが重要であるが、従来は管理者がチェックし、注意しながらスケジュールを構築していく必要があり、その作業は非常に繁雑であった。また、管理者が複数の広告主からコンテンツを受け取ることと、放送枠の要望などを聞きスケジュールを決めていく業務もあり負担が大きい。
【０００９】
また、ビジネスとしてのデジタルサイネージの稼働率を上げるためには、売れ残りの広告枠を無くすための販売活動を行う必要があるが、コンテンツ表示スケジュールをぎりぎりまで、効率的に提案・販売するシステムがなく、ビジネスの機会を逸してしまっている場合があった。
【００１０】
また、逆に、コンテンツ表示スケジュール直前の広告枠が販売された場合には、ぎりぎりにスケジュールの調整やコンテンツの入稿を受け取ることとなり管理者への負担をさらに重くしてしまう懸念があった。
【００１１】
これらの操作上の複雑さや負担の大きさが管理者のヒューマンエラーを引き起こしてしまい、結果的にデジタルサイネージとして、何も表示しない・間違ったものを表示する・コンテンツを最後まで再生せず、違うコンテンツを再生開始してしまうなどの、いわゆる放送事故を誘発する要因となっている。
【００１２】
上記事情に鑑み、本発明は、広告主からの購入申し込みや広告コンテンツの入稿を可能とするとともに、適切にコンテンツが予約可能なコンテンツ管理装置等を提供することを目的としている。
【課題を解決するための手段】
【００１３】
上述した課題に鑑み、本発明のコンテンツ管理装置は、表示装置にコンテンツを表示する時間枠を指定するコンテンツ表示スケジュールを管理するコンテンツ管理装置において、前記コンテンツ表示スケジュールの空いている時間枠に表示するコンテンツを予約するコンテンツ予約手段と、予約する前記コンテンツの属性と、前記コンテンツを予約する時間枠の前後の時間枠にある他のコンテンツの属性とが重複するかを判定する属性判定手段と、を備え、前記コンテンツ予約手段は、前記属性判定手段により、前記コンテンツと、前記他のコンテンツの属性が重複しない場合に前記コンテンツの予約受付を可能とすることを特徴とする。
【００１４】
本発明のコンテンツ管理装置は、表示装置にコンテンツを表示する時間枠を指定するコンテンツ表示スケジュールを管理するコンテンツ管理装置において、前記コンテンツ表示スケジュールに基づいて、前記表示装置にコンテンツが表示されるタイムスケジュールを表示するタイムスケジュール表示手段と、前記タイムスケジュールの中で、空いている時間枠に、前記表示装置に表示するコンテンツが予約可能であることを予約可能時間枠として表示するコンテンツ予約枠表示手段と、前記予約可能時間枠の中から、前記表示するコンテンツの予約を行うコンテンツ予約手段と、を備え、前記予約枠表示手段は、予約する前記コンテンツの属性と、前記予約可能時間枠の前後の時間枠にある他のコンテンツの属性とが重複する場合には予約可能時間枠を非表示とすることを特徴とする。
【００１５】
本発明のコンテンツ表示システムは、表示装置と、コンテンツ管理装置とを含むコンテンツ表示システムにおいて、前記コンテンツ管理装置は、前記表示装置にコンテンツを表示する時間枠を指定するコンテンツ表示スケジュールを管理する管理手段と、前記コンテンツ表示スケジュールの空いている時間枠に表示するコンテンツを予約するコンテンツ予約手段と、予約する前記コンテンツの属性と、前記コンテンツを予約する時間枠の前後の時間枠にある他のコンテンツの属性とが重複するかを判定する属性判定手段と、前記コンテンツ表示スケジュールにしたがって、前記コンテンツを前記表示装置に送信する送信手段と、を備え、前記表示装置は、前記コンテンツを受信し、当該コンテンツを表示するコンテンツ表示手段と、を備え、前記コンテンツ予約手段は、前記属性判定手段により、前記コンテンツと、前記他のコンテンツの属性が重複しない場合に前記コンテンツの予約受付を可能とすることを特徴とする。
【００１６】
本発明のコンテンツ予約方法は、表示装置にコンテンツを表示する時間枠を指定するコンテンツ表示スケジュールを管理するコンテンツ管理装置におけるコンテンツ予約方法において、前記コンテンツ表示スケジュールの空いている時間枠に表示するコンテンツを予約するコンテンツ予約ステップと、予約する前記コンテンツの属性と、前記コンテンツを予約する時間枠の前後の時間枠にある他のコンテンツの属性とが重複するかを判定する属性判定ステップと、を有し、前記コンテンツ予約ステップは、前記属性判定ステップにより、前記コンテンツと、前記他のコンテンツの属性が重複しない場合には前記コンテンツの予約受付を可能とすることを特徴とする。
【００１７】
本発明のコンテンツ予約方法は、表示装置にコンテンツを表示する時間枠を指定するコンテンツ表示スケジュールを管理するコンテンツ管理装置におけるコンテンツ予約方法において、前記コンテンツ表示スケジュールに基づいて、前記表示装置にコンテンツが表示されるタイムスケジュールを表示するタイムスケジュール表示ステップと、前記タイムスケジュールの中で、空いている時間枠に、前記表示装置に表示するコンテンツが予約可能であることを予約可能時間枠として表示するコンテンツ予約枠表示ステップと、前記予約可能時間枠の中から、前記表示するコンテンツの予約を行うコンテンツ予約ステップと、を有し、前記予約枠表示ステップは、予約する前記コンテンツの属性と、前記予約可能時間枠の前後の時間枠にある他のコンテンツの属性とが重複する場合には予約可能時間枠を非表示とすることを特徴とする。
【発明の効果】
【００１８】
本発明のコンテンツ管理装置によれば、表示装置にコンテンツを表示する時間枠を指定するコンテンツ表示スケジュールを管理するコンテンツ管理装置において、コンテンツ表示スケジュールの空いている時間枠に表示するコンテンツを予約することができるが、このとき、予約するコンテンツの属性と、コンテンツを予約する時間枠の前後の時間枠にある他のコンテンツの属性とが重複するかを判定し、重複しない場合にコンテンツの予約受付を可能とする。これにより、同じ属性のコンテンツが、表示装置において連続して表示されるといったことを防ぐことが可能となる。
【図面の簡単な説明】
【００１９】
【図１】第１実施形態におけるデジタルサイネージシステムの概要を説明するための図である。
【図２】第１実施形態における管理サーバの機能構成を説明するための図である。
【図３】第１実施形態における表示装置の機能構成を説明するための図である。
【図４】第１実施形態におけるサイネージ管理処理を説明するための動作フローである。
【図５】第１実施形態におけるサイネージ管理処理を説明するための動作フローである。
【図６】第１実施形態における動作例（カレンダースケジュール）を説明するための図である。
【図７】第１実施形態における動作例（タイムスケジュール）を説明するための図である。
【図８】第１実施形態における動作例（タイムスケジュール）を説明するための図である。
【図９】第１実施形態における動作例を説明するための図である。
【図１０】第１実施形態におけるコンテンツ配信処理を説明するための動作フローである。
【図１１】第１実施形態におけるコンテンツ表示処理を説明するための動作フローである。
【図１２】第２実施形態における排他禁止テーブルのデータ構成の一例を説明するための図である。
【図１３】第３実施形態における時間制限テーブルのデータ構成の一例を説明するための図である。
【図１４】第４実施形態におけるサイネージ管理処理を説明するための動作フローである。
【図１５】第４実施形態における動作例（タイムスケジュール）を説明するための図である。
【図１６】第５実施形態における割引率テーブルのデータ構成の一例を説明するための図である。
【図１７】第５実施形態における動作例（タイムスケジュール）を説明するための図である。
【発明を実施するための形態】
【００２０】
以下、本発明の実施の形態について、図面を参照して説明する。なお、本実施形態では、一例として、本発明におけるコンテンツ管理装置を含むデジタルサイネージシステムについて説明する。
【００２１】
［１．第１実施形態］
［１．１  全体構成］
まず、本実施形態のデジタルサイネージシステム１の全体構成について、図１に基づいて説明する。図１に示すように、デジタルサイネージシステム１には、管理サーバ１０に、表示装置２０が接続されている。表示装置２０は、図１に示すように複数接続されても良い。また、図１においては、表示装置２０は、管理サーバ１０と同一ネットワークで接続されていることとして表示されているが、ネットワークで接続されていればよい。
【００２２】
管理サーバ１０は、外部ネットワークＮＷに接続されており、外部ネットワークＮＷを介して端末装置３０が接続されている。端末装置３０は、一又は複数台接続可能であり、例えば広告主などコンテンツを配信したい人が利用する。
【００２３】
端末装置３０としては、例えばコンピュータのような機器であっても良いし、例えばスマートフォンやタブレットといった情報処理装置であっても良い。また、コンテンツ配信用の専用装置であっても良いし、通信機能を備えた画像形成装置であっても良い。すなわち、管理サーバ１０に接続して、コンテンツの配信を指定したり、アップロード出来たりすることが出来る端末装置であればよい。
【００２４】
ここで、本実施形態におけるデジタルサイネージシステム１の基本的な流れとしては以下の通りである。
【００２５】
（１）広告主（端末装置３０の操作者であるコンテンツ提供者）と、ロケーションオーナー（管理サーバ１０の管理者）とで広告に関する基本契約
回収方法、与信管理のみでデジタルサイネージに関する基本情報（表示時間帯、表示回数、表示時間、金額など）は取り交わしする必要はない。
【００２６】
（２）広告主が、ロケーションオーナーの提供する管理サーバ１０に接続して（ＩＤ・パスワードなどセキュアな状態として）操作を行う。
広告主が、ロケーションオーナーのサイネージシステムに表示している空き枠と金額と前後の時間帯（および同時刻にながれる近傍の表示システム）の商品カテゴリを確認する。
【００２７】
（３）広告主が購入の意思を持ったときに、コンテンツ（例えば、本実施形態では広告コンテンツ）を、デジタルサイネージソフト（管理サーバ１０において実行されるサイネージ管理プログラム）を通じて広告コンテンツのカテゴリ名を選択する。
【００２８】
（４）この際に、デジタルサイネージソフトは前後の時間帯（および同時刻にながれる近傍の表示システム）に同一のカテゴリがあれば排他処理を行なう。排他されうる場合には入稿を許可しない。
【００２９】
（５）広告主は、ロケーションオーナーサーバーに広告コンテンツ入稿する。
【００３０】
（６）（３）〜（５）の処理にてカレンダースケジュール・日々のタイムスケジュールが自動的に形成される。また、基本情報（表示時間帯、表示回数、表示時間、金額など）はこのＵＩで決めることができるので、あらかじめ（１）の時点で契約する必要はない。
【００３１】
（７）管理サーバ１０から、「カレンダースケジュール＋タイムスケジュール＋広告コンテンツ」を、実際のロケーションのシステム（表示装置２０等で構成される。）にネットワーク配信やＵＳＢメモリによる配信を実施する。表示システムは各スケジュールをもとに広告コンテンツを表示する。
【００３２】
なお、管理サーバ１０から表示装置２０への配信のタイミングは、当日のスケジュールのものでなければ、比較的ネットワークがすいている、夜間（サイネージが稼働していない時間）にまとめて配信することもできるし、当日のスケジュールであれば即時に配信対応することもできる。
【００３３】
［１．２  機能構成］
つづいて、管理サーバ１０及び表示装置２０の機能構成について説明する。なお、端末装置３０は、上述したように通信機能を有するコンピュータのような情報処理機器であれば良いため、機能構成に説明を省略する。
【００３４】
［１．２．１  管理サーバ］
管理サーバ１０の機能構成について、図２に基づいて説明する。管理サーバ１０は、制御部１１０と、通信部１２０と、記憶部１４０とを備えて構成されている。
【００３５】
制御部１１０は、管理サーバ１０の全体を制御するための機能部である。制御部１１０は、記憶部１４０に記憶されている各種プログラムを読み出して実行することにより各種機能を実現しており、例えばＣＰＵ（Central Processing Unit）等により構成されている。
【００３６】
通信部１２０は、他の装置と通信を行うための機能部である。例えば、有線ＬＡＮにより通信可能な機能部であったり、無線ＬＡＮにより通信可能な機能部であったりする。通信方式としては、Ｅｔｈｅｒｎｅｔ（登録商標）やＩＥＥＥ８０２．１１ａ／ｂ／ｇ／ｎであっても良いし、ＬＴＥ（登録商標）通信網やＷｉＭＡＸ（登録商標）のような通信網であっても良い。
【００３７】
記憶部１４０は、管理サーバ１０の動作に必要な各種プログラムや、各種データが記憶されている機能部である。記憶部１４０は、例えば、半導体メモリや、ＨＤＤ（Hard Disk Drive）等により構成されている。
【００３８】
ここで、記憶部１４０には、コンテンツデータを格納するコンテンツデータ格納領域１４２の領域が確保されている。また、コンテンツ表示スケジュール１４４と、サイネージ管理プログラム１５２と、コンテンツ配信プログラム１５４とが記憶されている。
【００３９】
コンテンツデータ格納領域１４２は、例えば端末装置３０から入稿された（アップロードされた）コンテンツデータが格納される。コンテンツの種類としては、本実施形態では広告コンテンツを例に説明するが、他のコンテンツ（例えば、紹介用コンテンツ、番組コンテンツ）であっても良い。また、コンテンツの種類も、動画であっても良いし、静止画であっても良い。
【００４０】
コンテンツ表示スケジュール１４４は、コンテンツを表示装置２０で表示するスケジュールであるコンテンツ表示スケジュールが記憶されている。例えば、管理サーバ１０から、表示装置２０に配信するコンテンツを、どの装置に、どの時間表示するかといったことが記憶される。コンテンツ表示スケジュール１４４が表示装置２０に送信されることにより、各表示装置２０はスケジュールに従ってコンテンツを表示することが可能となる。
【００４１】
ここで、コンテンツ表示スケジュールとは、実際のサイネージが表示される時間帯である年月日及び開始時間、終了時間と、当該時間帯に割り当てられたコンテンツ名等のコンテンツに関する情報をテーブル化（ＤＢ）したものである。
【００４２】
サイネージ管理プログラム１５２は、制御部１１０が読み出して実行することによりサイネージ管理機能が実現される。また、コンテンツ配信プログラム１５４は、制御部１１０が読み出して実行することにより、コンテンツ配信機能が実現される。
【００４３】
［１．２．２  表示装置］
表示装置２０の機能構成について、図３に基づいて説明する。表示装置２０は、デジタルサイネージとして設置ロケーションで実際の表示を行うシステム一式であり、制御部２１０と、通信部２２０と、表示部２３０と、記憶部２４０とを備えて構成されている。
【００４４】
制御部２１０は、表示装置２０の全体を制御するための機能部である。制御部２１０は、記憶部２４０に記憶されている各種プログラムを読み出して実行することにより各種機能を実現しており、例えばＣＰＵ（Central Processing Unit）等により構成されている。
【００４５】
通信部２２０は、主に管理サーバ１０と通信を行うための機能部である。例えば、有線ＬＡＮにより通信可能な機能部であったり、無線ＬＡＮにより通信可能な機能部であったりする。通信方式としては、ＥｔｈｅｒｎｅｔやＩＥＥＥ８０２．１１ａ／ｂ／ｇ／ｎであっても良いし、ＬＴＥ通信網やＷｉＭＡＸのような通信網であっても良い。
【００４６】
表示部２３０は、コンテンツを表示するための機能部である。例えば、ＬＣＤや、有機ＥＬディスプレイ、プロジェクタ等により構成されている。
【００４７】
記憶部２４０は、表示装置２０の動作に必要な各種プログラムや、各種データが記憶されている機能部である。記憶部２４０は、例えば、半導体メモリや、ＨＤＤ（Hard Disk Drive）等により構成されている。
【００４８】
記憶部２４０には、配信されたコンテンツデータを記憶するコンテンツデータ格納領域２４２の領域が確保され、コンテンツ表示スケジュール２４４と、コンテンツ表示プログラム２５２とが記憶されている。
【００４９】
コンテンツデータ格納領域２４２は、管理サーバ１０が配信するコンテンツを受信して記憶しておく領域である。コンテンツデータは、その都度配信されても良いし、まとめて配信されていても良い。また、例えばスクリーンセーバ等のように、表示装置２０側で用意しても良い。
【００５０】
コンテンツ表示スケジュール２４４は、管理サーバ１０から受信したコンテンツ表示スケジュールを記憶しておく。表示装置２０は、コンテンツ表示スケジュール２４４に従ってコンテンツデータを表示することとなる。
【００５１】
コンテンツ表示プログラム２５２は、制御部２１０が読み出して実行することにより、コンテンツ表示機能が実現される。
【００５２】
端末装置３０としては、上述のようにシステムとして一体となったものでもよいし、例えばコンピュータ＋ディスプレイであっても良いし、例えばスマートフォンやタブレットといった情報処理装置であって実現することが可能である。
【００５３】
［１．３  処理の流れ］
つづいて、本実施形態における処理の流れについて説明する。
【００５４】
［１．３．１  サイネージ管理処理］
図４及び図５は、サイネージ管理処理について説明するフローチャートである。サイネージ管理処理は、制御部１１０が、サイネージ管理プログラム１５２を読み出して実行することにより実現する処理である。
【００５５】
まず、ロケーションオーナーである管理者の操作が行われると（ステップＳ１０２）、その操作が終了操作であったか否かを判定する（ステップＳ１０４）。終了操作としては、電源ＯＦＦの操作であったり、プログラムを終了する操作であったりする。このような操作があった場合には、本処理を終了する（ステップＳ１０４；Ｙｅｓ）。
【００５６】
管理者操作として設定操作があった場合には、設定処理が実行される（ステップＳ１０６；Ｙｅｓ→ステップＳ１０８）。設定処理としては、例えば表示装置２０の設定（設置されているロケーションの設定、表示装置２０のＩＰアドレス等）、ユーザ情報の設定、課金情報に関する設定といった種々の情報が設定可能である。
【００５７】
続いて、コンテンツ配信処理が実行される（ステップＳ１１０）。コンテンツ配信処理が実行されることにより、表示装置２０にコンテンツデータ及びコンテンツ表示スケジュールが配信される。コンテンツ配信処理の動作については後述する。
【００５８】
ここで、本デジタルサイネージシステム１の事前契約者はログインすることで、コンテンツを登録、配信する設定を行うことができる。以下、ログイン画面以降をステップＳ１１２から説明する。
【００５９】
ログイン画面を表示する（ステップＳ１１２）。ログイン画面の表示は、例えば管理サーバ１０におけるアドレス（例えばログイン用のＵＲＬ）が指定されてもよいし、ログイン操作をすることにより表示されても良い。何れかの方法によって、ログイン画面に遷移し、端末装置３０上においてログイン画面が表示される。
【００６０】
ここで、利用者（広告主）によりログイン操作が行われる（ステップＳ１１４）。具体的にはＩＤ及びパスワードが入力され、登録されたものと一致することにより、認証がＯＫと判定される（ステップＳ１１６；Ｙｅｓ）。ここでログイン方法としては種々の方法が考えられる。例えば、上述したベーシック認証以外にも、ＯＡｕｔｈ認証、証明書認証、生体認証等のいずれの方法を利用しても良い。ここで、認証を失敗した場合や、タイムアウトした場合には、最初から処理を繰り返し実行する。
【００６１】
続いて、管理サーバ１０は、利用者（広告主）に、販売する表示装置２０の場所（サイネージロケーション）を表示して、選択させる。利用者は、コンテンツを表示する時間枠（広告枠）を購入できる表示装置２０の場所を確認することができる。具体的には、「ＡＢＣ広場  入口柱（中央）」「ショッピングモール正面玄関」といった場所が表示されることにより、利用者は選択することが可能となる。
【００６２】
そして、利用者により、表示装置の場所（サイネージのロケーション）が選択されると、対応する場所に配置されている表示装置２０のカレンダースケジュールを表示する（ステップＳ１２４）。カレンダースケジュールは、管理サーバ１０が管理しているコンテンツデータのコンテンツ表示スケジュールから、コンテンツの予約が可能か否かを、カレンダー形式で表示するために利用される。本実施形態では、コンテンツ表示スケジュールに基づいて生成することができることして説明するが、カレンダースケジュールとして別に記憶しても良い。
【００６３】
ここで、カレンダースケジュールとは、コンテンツ表示スケジュールから生成可能なデータであり、ＵＩとして使用する場合には、１か月のカレンダーイメージで表示され、販売枠の空き・販売済を示すものである。
【００６４】
また、表示される画面の一例を図６に基づいて説明する。図６は利用者から見えるカレンダースケジュールの画面例を示す図である。ここで、１〜５日は終了した日付であり、購入できない状態となっている。
【００６５】
１０〜１２日、２８日〜３１日は空きがある状態であるため、選択されるとタイムスケジュールの画面に遷移する。なお、近傍に他の表示装置がなく独立している場合には、前後時間の排他確認用のタイムスケジュールに遷移する。また、近傍に他の表示装置がある場合には、近傍の排他確認を含む排他確認用のタイムスケジュールに遷移する。また、６〜９日、１３日〜２７日には空きが無い状態となっている。
【００６６】
ここで、タイムスケジュールとは、コンテンツ表示スケジュールから生成可能なデータであり、ＵＩとして使用する場合には、１日間のイメージで表示され、コンテンツがどの時間枠で表示されるか、販売枠の空きなどを示すものである。
【００６７】
また、本実施形態においては、所定の範囲の表示装置を広告グループとして設定可能である。広告グループとは、コンテンツを視聴したり、コンテンツの広告を確認する需要者の同一視野に入る表示装置であったり、同一構内にある表示装置であったり、並んで配置される表示装置であったりする。これは、例えば、需要者の同一視野に入る表示装置であるにも関わらず、ライバル企業の広告が表示されてしまうというのを防ぐために、管理者が設定することによりグルーピングされるものである。
【００６８】
一般的には、表示装置２０の近傍にある表示装置（近傍表示装置、近傍ディスプレイ）を設定する。近傍にある表示装置は、上述したような利用者の同一視野に入る表示装置等である。
【００６９】
これらのグルーピングは、管理者が設定するのが一般的であるが、設置位置の距離や、ＩＰアドレス等によって自動的に設定されても良い。なお、本実施形態では、近くの表示装置、近傍の表示装置は広告グループとして設定されている場合について説明している。
【００７０】
広告グループとして設定されている表示装置同士は、同一の広告が表示されるとしても良いが、上述したようにライバル企業の広告が表示されることを防げれば良い。また、広告グループは階層的に指定されても良い。
【００７１】
例えば、施設において、第１の入口と、第２の入口とには複数の表示装置がそれぞれ設けられているとする。この場合、第１の入口に設置されている複数の表示装置で第１の広告グループが、第２の入口で設置されている複数の表示装置で第２の広告グループが設定される。
【００７２】
さらに、第１の広告グループと、第２の広告グループとで、第３の広告グループを設定することとしても良い。この場合、例えば第１、第２の広告グループには同一の広告が表示され、第３の広告グループにはライバル企業が表示されないといった制御を行うことが可能となる。
【００７３】
図４の処理に戻って説明すると、空き日付が選択するか終了する操作が選択される（ステップＳ１２６）。ここで、終了する操作が選択されると、処理は最初に戻る（ステップＳ１２８；Ｎｏ）。
【００７４】
空き日付が選択されることにより（ステップＳ１２８；Ｙｅｓ）、タイムスケジュールを表示する処理に遷移する（図５のステップＳ１５０〜ステップＳ１５４）。タイムスケジュールとは、コンテンツ表示スケジュールに基づいて、表示装置２０毎の日別のコンテンツの予約状況を確認するために表示されるものである。本実施形態では、コンテンツ表示スケジュールから生成されることとして説明するが、別に記憶していても良い。
【００７５】
ここで、表示装置２０が近くに設置されていない場合、すなわち選択された場所（ロケーション）の近くに表示装置が複数無い場合（広告グループとして設定されている表示装置がない場合）には、単純に選択されたロケーションにある表示装置２０のタイムスケジュール表示処理を実行する（ステップＳ１５０；Ｎｏ→ステップＳ１５４）。
【００７６】
他方、選択されたロケーションの近くに表示装置が複数ある場合には、複数タイムスケジュール処理を実行する（ステップＳ１５０；Ｙｅｓ→ステップＳ１５２）。
【００７７】
ここで、タイムスケジュール処理により、利用者に表示されるタイムスケジュールの一例を図７及び図８に示す。図７は前後時間の排他確認用のタイムスケジュールの表示画面であり、図８は、近傍ディスプレイを含む排他確認用のタイムスケジュールの表示画面である。
【００７８】
例えば、図７の場合、１４：００−１６：００に空き時間枠（広告枠）があることが表示されている。したがって、利用者は空いている時間枠を購入することが可能となる。空いている時間枠を選択（例えばクリック操作）すると購入／入稿システムのＵＩに遷移する。
【００７９】
また、本実施形態のように、空き時間枠の料金を表示することとしても良い。例えば、図７では￥１００，０００で購入が可能と表示されている。
【００８０】
しかし、後述するが、空いている時間枠の前後にあるコンテンツの属性（カテゴリ）として、レストラン（中華）と、百貨店（セール）が登録されている。したがって、空いている時間枠であっても、同一の属性（カテゴリ）であるレストラン（中華）と、百貨店（セール）の場合には、入稿（予約受付）できないものである。
【００８１】
また、空いている時間枠を確認する広告主が確認できる情報は、空き時間枠と価格、属性（例えば、商品カテゴリ）のみであり、実際の広告主（買いに来た広告主から見て他社）は確認できないものである。なお、管理サーバ１０の管理者は確認可能である。
【００８２】
続いて、図８は、近傍ディスプレイを含む排他確認用のタイムスケジュールの表示画面であり、利用者から見えるタイムスケジュールの表示画面の一例である。
【００８３】
図８の３つのタイムスケジュール（「ＡＢＣ広場  入口柱（左）」、「ＡＢＣ広場  入口柱（中央）」、「ＡＢＣ広場  入口柱（右）」）は別の表示装置のタイムスケジュールであり、それぞれの表示装置は近傍にあるため排他処理が必要となる。
【００８４】
本実施形態では、「ＡＢＣ広場  入口柱（中央）」の表示装置には、１４：００−１６：００に空き時間枠があり、広告主が購入することが可能である。
【００８５】
ここで、当該空き時間枠を利用者は￥１００，０００で購入が可能であるが、レストラン（中華）と、百貨店、結婚式場、新作映画案内、アイドルコンサートは入稿できないものである。すなわち、予約受付が制限され、出来なくなっている。
【００８６】
なお、「ＡＢＣ広場  入口柱（中央）」と、「ＡＢＣ広場  入口柱（右）」とが１１：００−１４：００にレストラン（中華）が並んでいるが、これは同一の広告主であれば排他処理せず時間枠の購入を制限しない、すなわち排他しないためである。これにより、空いている時間枠に、コンテンツの予約受付が可能であり、予約を行う（コンテンツを入稿することができる）ことになっている。
【００８７】
逆に、空き広告枠の直前に他の表示装置のタイムスケジュールにアイドルコンサートがあれば広告の購入を制限（排他）する。
【００８８】
図５に戻って処理を説明する。続いて、空き時間枠が選択されるか、終了操作がされる（ステップＳ１５６）。ここで、終了操作が選択されると、図４の処理の最初から再び実行される（ステップＳ１５８；Ｎｏ）。
【００８９】
ここで、空き時間枠が選択されると（ステップＳ１５８；Ｙｅｓ）、コンテンツの属性として、入稿するコンテンツ（広告コンテンツ）の商品カテゴリが選択される（ステップＳ１６０）。なお、ここで、終了操作が選択されると、図４の処理の最初から再び実行される（ステップＳ１６２；Ｎｏ）。
【００９０】
ここで、選択されたコンテンツの属性である商品カテゴリが排他対象でないか否かを判定する（ステップＳ１６４）。排他対象となるコンテンツは入稿できず、時間枠にたいする予約受付ができなくなっている。本実施形態では、排他対象となる条件（排他条件）は以下の３つである。
【００９１】
（１）表示装置２０が単体の場合は、現在選択された時間枠の前後の時間枠の商品カテゴリが同一又は重複している場合を排他対象とする。すなわち、予約受付をするコンテンツとして制限され、選択された時間枠には予約受付が拒否され、予約受付できなくなっている。
【００９２】
（２）表示装置２０が複数ある場合、すなわち選択された時間枠の表示装置に近傍する位置に表示装置がある場合には、当該近傍する位置の表示装置の、重複する時間枠の商品カテゴリが同一又は重複している場合を排他対象とする。すなわち、予約受付をするコンテンツとして制限され、選択された時間枠には予約受付が拒否され、予約受付できなくなっている。
【００９３】
（３）表示装置２０が複数ある場合、すなわち選択された時間枠の表示装置に近傍する位置に表示装置がある場合には、当該近傍する位置の表示装置の、重複する時間枠及び前後の時間枠の商品カテゴリが同一又は重複している場合を排他対象とする。すなわち、予約受付をするコンテンツとして制限され、選択された時間枠には予約受付が拒否され、予約受付できなくなっている。
【００９４】
これらの排他条件に該当した場合は、排他対象であるため、再度商品カテゴリを選択させる（ステップＳ１６４；Ｎｏ→ステップＳ１６２）。すなわち、選択されたコンテンツ（ＣＭ）では、制限されたコンテンツとなり、予約受付が拒否されてしまう。
【００９５】
この場合における、利用者に表示される表示画面の一例を図９（ａ）に示す。図９（ａ）に示すように、「入稿したい商品カテゴリを選択してください」と表示し、商品カテゴリが選択出来るようになっている。
【００９６】
このように、コンテンツの属性として、広告コンテンツの商品カテゴリについて、広告主（コンテンツデータを入稿しようとしている利用者）が選択することができる。なお、ここで商品カテゴリは階層となっている。
【００９７】
例えば、「旅行」は上位層であり、下位層は「海外旅行」と「国内旅行」とが含まれている。この場合、例えば「旅行」という商品カテゴリが選択された場合、「海外旅行」「国内旅行」とも商品カテゴリが重複すると判定する。また、「海外旅行」「国内旅行」が選択された場合に、「旅行」の商品カテゴリが重複すると判定する。
【００９８】
更に、「海外旅行」も「国内旅行」も上位層は「旅行」である。したがって、「海外旅行」「国内旅行」ともに、商品カテゴリが重複すると判定しても良い。
【００９９】
また、重なっていない属性の場合等は、予約可能なコンテンツとして予約することが可能となっている。すなわち、相違点のある属性、同一ではない属性、上位・下位の関係にない属性の場合を、重なっていないコンテンツであるとして予約可能（排他対象でない）として受け付ける。
【０１００】
図５に戻って説明する。選択された商品カテゴリが排他対象でない場合（ステップＳ１６４；Ｙｅｓ）、入稿する（アップロードする）コンテンツ（広告コンテンツ）を選択する（ステップＳ１６６）。なお、ここで、終了操作が選択されると、図４の処理の最初から再び実行される（ステップＳ１６８；Ｎｏ）。
【０１０１】
この場合における、コンテンツデータ選択画面の一例を図９（ｂ）に示す。コンテンツデータを選択し、実行することで、管理サーバ１０に送られ、記憶される。
【０１０２】
コンテンツデータの入稿後、購入実行が最終的に選択されるかを判定する。ここで、購入実行が選択されることにより、広告枠の購入処理が実行される。
【０１０３】
図９（ｃ）が、利用者である広告主に対して表示されるコンテンツデータの購入画面の一例を示した図である。サイネージの内容、価格、ファイル名（コンテンツデータ名）、属性、時間枠についてが、それぞれ表示されている。
【０１０４】
この場面で「購入」と選択することで、選択された時間枠において、選択されたコンテンツが配信された表示されることとなる。
【０１０５】
［１．３．２  コンテンツ配信処理］
つづいて、コンテンツ配信処理について図１０を参照して説明する。コンテンツ配信処理は、管理サーバ１０から、デジタルサイネージである表示装置２０にコンテンツデータを配信する場合に実行される処理である。表示装置は１つであっても良いし、複数であっても良い。また、複数の表示装置に同一のコンテンツデータを配信しても良いし、異なるコンテンツデータを配信しても良い。
【０１０６】
まず、配信されていないコンテンツデータがあるか否かが判定される（ステップＳ２０２）。もし、総てのコンテンツが既に表示装置２０に配信されているのであれば本処理を終了する（ステップＳ２０２；Ｙｅｓ）。
【０１０７】
まだ配信されていないコンテンツデータがある場合には、配信されていないコンテンツデータ（未配信コンテンツ）の中に、本日分があるか否かを判定する（ステップＳ２０４）。もし、未配信コンテンツデータがある場合には（ステップＳ２０４；Ｙｅｓ）、表示装置２０に配信される（ステップＳ２０６）。すなわち、表示装置２０において実行されているサイネージソフト（コンテンツ表示プログラム２５２）に配信することで、表示装置２０はコンテンツ（例えば広告コンテンツ）を表示することが可能となる。
【０１０８】
ここで、サイネージソフトへは、コンテンツデータと、コンテンツデータを表示するスケジュールであるコンテンツ表示スケジュールが配信されても良い。すなわち、表示装置２０において、コンテンツ表示スケジュールの内容に沿ってコンテンツの表示が行われる。
【０１０９】
つづいて、定期配信時刻である場合には（ステップＳ２０８；Ｙｅｓ）、サイネージソフトへコンテンツデータが配信される（ステップＳ２１０）。なお、このときコンテンツ表示スケジュールも併せて送信されても良い。
【０１１０】
これは、定期配信時刻でコンテンツデータが配信されるのは、例えばネットワークの空きが多い夜中等に配信する設定とするためである。また、ステップＳ２０４、Ｓ２０６では、次の配信タイミングまで待てないコンテンツデータについては、このタイミングで配信されることとなる。
【０１１１】
［１．３．３  コンテンツ表示処理］
つづいて、コンテンツ表示処理について、図１１を参照して説明する。コンテンツ表示処理は、管理サーバ１０からコンテンツデータ、コンテンツ表示スケジュールを受信して実行される処理である。
【０１１２】
すなわち、管理サーバ１０のサイネージ管理ソフト（サイネージ管理プログラム１５２）から配信があると、サイネージ管理ソフトから配信を受信する（ステップＳ３０２；Ｙｅｓ→ステップＳ３０４）。これにより、表示装置２０には、コンテンツデータがコンテンツデータ格納領域２４２に記憶され、コンテンツ表示スケジュール２４４が記憶される。
【０１１３】
その後、コンテンツ表示スケジュールにコンテンツの割り当てがあるか否かを判定する（ステップＳ３０６）。ここで、コンテンツの割り当てがある場合には、コンテンツデータの表示・再生を開始する（ステップＳ３０８）。
【０１１４】
ここで、コンテンツ表示スケジュール上、コンテンツの終了時刻か否かを判定する。ここで、コンテンツの終了時刻である場合には、コンテンツの表示を終了し、次のコンテンツを表示する（ステップＳ３１０；Ｙｅｓ）。
【０１１５】
このように、本実施形態によれば、コンテンツの予約したい時間枠と、連続する時間枠や、他の表示装置の重なる時間枠とを比較し、予約したいコンテンツと同一又は含む属性がある場合は、コンテンツの予約が行えないことになる。他方、連続する時間枠や、他の表示装置の重なる時間枠に、予約を行いたいコンテンツと異なる属性のコンテンツしか予約されていない場合には、予約したい時間枠にコンテンツを予約することが可能となる。
【０１１６】
これにより、例えば、連続する時間枠で同一又は含まれる属性、すなわち重複する属性のコンテンツが表示されてしまったり、設定された表示装置（例えば近傍の表示装置）に、重複する属性のコンテンツが表示されてしまったりするということを防ぐことが可能となる。
【０１１７】
また、コンテンツを予約する場合も、予約する時間枠の前後や、当該時間枠が含まれる時間枠に重複する属性のコンテンツが無い場合にコンテンツの予約が可能となり、使い勝手の良いデジタルサイネージシステムを提供することができる。
【０１１８】
とくに、コンテンツの種類が広告コンテンツの場合、同一属性の他社広告や、関連する属性の他社広告が表示されてしまうと、問題を生じる場合がある。本実施形態を適用したデジタルサイネージシステムでは、そのような状態になる広告コンテンツの予約が受け付けられないため、未然に問題を防ぐことが可能となる。
【０１１９】
また、広告主等のコンテンツ提供者も、予約受付可能な時間枠であれば、上述したような不具合が起こらないと解るため、より使い勝手の良いデジタルサイネージシステムを提供することが可能となる。
【０１２０】
［２．第２実施形態］
つづいて、第２実施形態について説明する。第１実施形態では、コンテンツの属性（例えば、商品コンテンツのカテゴリ）が、重複しているか否かを判定したが、本実施形態では、テーブルを利用してカテゴリの判定を行う実施形態である。
【０１２１】
本実施形態では、他の実施形態において、記憶部１５０に、排他対象テーブル１６２を記憶している。図１２は、本実施形態における排他対象テーブル１６２の一例である。排他対象テーブル１６２は、選択カテゴリに対して、排他処理の対象となるカテゴリが記憶されている。
【０１２２】
例えば、選択カテゴリが小売店の場合、小売店として百貨店、家電量販店、アパレル専門店が排他処理の対象となる。また、家電量販店が選択された場合には、小売店の中でも、百貨店と、家電量販店は排他処理の対象となるが、アパレル専門店については排他処理の対象とならない。
【０１２３】
このように、本実施形態によれば、排他対象となる属性（カテゴリ）を柔軟に設定することが可能となる。このような排他対象となる属性（カテゴリ）は、予め設定されていてもよいし、管理者が設定出来ることとしても良い。また、外部サーバ等を利用して定期的にアップデートされるように構成されていてもよい。
【０１２４】
［３．第３実施形態］
つづいて、第３実施形態について説明する。第３実施形態は、排他処理となる対象が、属性ではなく、時間帯の場合について説明する。
【０１２５】
本実施形態では、他の実施形態において、記憶部１５０に、排他対象テーブルの一つとして、時間制限テーブル１６４を記憶している。図１３は、本実施形態における時間制限テーブル１６４の一例である。時間制限テーブル１６４は、コンテンツの属性（選択カテゴリ）に、制限時間帯が対応づけて記憶されている。
【０１２６】
例えば、選択カテゴリが「たばこ」の場合は、「平日０９：００−１９：００／土日０９：００−２２：００」の間の時間枠は排他処理が行われる、すなわち予約が出来ない状態となる。
【０１２７】
この時間制限テーブル１６４は、他の実施形態と組み合わせてもよい。例えば、第１実施形態と組み合わせることで、前後の時間枠と併せて、時間帯による排他処理（予約禁止）の処理が行われることとなる。
【０１２８】
［４．第４実施形態］
つづいて、第４実施形態について説明する。第４実施形態は、タイムスケジュールを表示させている画面で、コンテンツの表示について、属性の表示を行わず「予約不可」として表示する場合について説明する。
【０１２９】
本実施形態は、第１実施形態の図５の処理を図１４の処理に置き換えた実施形態である。ここで、図５の処理と同一の処理については、同一の符号を付すことで、その詳細な説明を省略する。
【０１３０】
なお、本実施形態の場合は、予め利用者（広告主）のカテゴリが登録されている。すなわち、利用者（広告主）は、デジタルサイネージシステムを利用する（利用登録する）段階で、コンテンツのカテゴリを登録する。
【０１３１】
図１４のステップＳ１５２又はステップＳ１５４において、コンテンツ表示スケジュールに基づいてタイムスケジュールを表示する。ここで、タイムスケジュールを表示する場合には、既にコンテンツが埋まっている時間枠は、予約が出来ないことから「予約不可」と表示する。
【０１３２】
つづいて、排他対象の時間枠があるか否かを判定する（ステップＳ４０２）。もし、排他対象となる時間枠がある場合、本来は「空き時間枠」であるが、「予約不可」の枠に切り替えて表示する（ステップＳ４０４）。
【０１３３】
例えば、本実施形態におけるタイムスケジュールの表示画面の一例を図１５に示す。「ＡＢＣ広場  入口柱（中央）」の「１４：００−１６：００」が現在空いている時間枠である。
【０１３４】
ここで、本来「ＡＢＣ広場  入口柱（右）」の「１１：００−１２：００」も空いているとする。しかし、同じ場所の「９：００−１１：００」に、利用者（広告主）のカテゴリと排他対象となる属性（カテゴリ）のコンテンツが予約されているとする。
【０１３５】
この場合、予約が出来ないことから、予め当該時間枠を「予約不可」に切り替えて表示する。これにより、利用者（広告主）は、予約出来ないコンテンツは「予約不可」と確認するだけでなく、他の利用者に対して、どこでコンテンツが配信されるかを知られることを防ぐという効果が期待できる。
【０１３６】
［５．第５実施形態］
つづいて、第５実施形態について説明する。第５実施形態は、予約する時間によって、コンテンツを入稿するときの金額（時間枠の販売価格）が割引される実施形態である。
【０１３７】
本実施形態では、例えば他の実施形態において、記憶部１５０に、図１６に示す割引率テーブル１６６を記憶している。
【０１３８】
割引率テーブル１６６は、コンテンツを予約する時間と対応づけて金額（割引率）とが対応づけて記憶されている。
【０１３９】
例えば、コンテンツを配信するまで２日以上あるのであれば割引はないが、２日〜１日の場合は１０％の割引が行われる。同様に、１日〜１２時間であれば２０％のように、コンテンツを配信するまでの時間に応じて、コンテンツを入稿するときの料金が割り引かれることとなる。
【０１４０】
図１７は、本実施形態におけるタイムチャートの表示画面の一例である。例えば、現在時刻が「９：００」であるとして、空いている時間枠は「１４：００〜１６：００」である。残り時間が５時間であることから、４０％の割引が行われ、料金として「￥６０，０００」が表示される。
【０１４１】
このように、本実施形態によれば、空いている時間枠までの残り時間によって、空いている時間枠を購入する金額が割引かれることとなる。これにより、デジタルサイネージシステムを利用する利用者（広告主）は安くコンテンツを配信することができる。また、システム提供者側は、空いている時間枠を減らすといったことができることとなる。
【０１４２】
この時間及び割引率は、予め設定されていてもよいし、システム管理者が任意の時間、割引率に設定出来ることとしても良い。また、曜日、天候等といった他の要素で割引率を設定しても良い。
【０１４３】
［６．第６実施形態］
つづいて、第６実施形態について説明する。上述した実施形態では、コンテンツの属性に基づいて判断していたが、更に利用者情報（例えば広告主に関する属性、社名等）を持たせており、利用者情報に基づいて排他対象の判定を行っても良い。
【０１４４】
ここで、コンテンツを予約する利用者情報が、前後の時間枠等に予約されているコンテンツの利用者の情報に含まれる場合は、コンテンツの属性が含まれていてもコンテンツの予約を行えることとしても良い。
【０１４５】
例えば、第１実施形態に適用した場合について説明すると、予約したいコンテンツの属性が、前後の時間枠に予約されているコンテンツの属性とが重複している場合は、予約することが出来なかった。
【０１４６】
しかし、本実施形態の場合、予約したいコンテンツの属性が、前後の時間枠に予約されているコンテンツの属性と重複している場合には、次に利用者情報を確認する。ここで、予約したいコンテンツの利用者と、前後の時間枠に予約されているコンテンツの利用者とが同一であったり、同一企業グループであったりした場合には、コンテンツの予約を行うことが可能となる。
【０１４７】
なお、上述した実施形態のように、コンテンツの予約が出来ない場合の判定として、利用者の情報を利用しても良い。例えば、同じ分野の企業や、提供施設と競合する企業の情報を有している場合には、予約が出来ないとしてもよい。
【０１４８】
［７．効果］
上述した各実施形態により、利用者（広告主）の操作によって、従来ロケーションオーナー（管理者）が担っていた、コンテンツの受領と、受領内容によるコンテンツ表示スケジュール（カレンダースケジュール、タイムスケジュール）の作成が自動的に行われることとなる。これにより、管理者の負担が低減し、ヒューマンエラーが回避できる。
【０１４９】
また、従来の作業が自動的にできることから、ぎりぎりまで広告枠の販売が可能となり、結果的に広告枠の売れ残り削減の効果も期待できる。ぎりぎりまで販売できるため、直前に価格変更をおこない販売促進をすることもできる。
【０１５０】
また、コンテンツの再生条件や金額については、明示的に広告主に提示されるものであり、広告主の利便性もあがり、広告主とロケーションオーナーの契約内容についてもぎりぎりで取り交わすことができるので、結果的に広告枠の売れ残り削減の効果も期待できる。
【０１５１】
［８．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１５２】
また、上述した実施形態は、それぞれの実施形態を組み合わせて実行することが出来ることは勿論である。例えば、第１実施形態と、第２実施形態と、第５実施形態とを組み合わせて実行するといったことが可能である。
【０１５３】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、ＨＤＤやＳＳＤ（solid state drive）などの記憶装置に格納され、必要に応じてＣＰＵによって読み出し、修正・書き込みが行なわれる。
【０１５４】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１５５】
１０  管理サーバ
１１０  制御部
１２０  通信部
１４０  記憶部
１４２  コンテンツデータ格納領域
１４４  コンテンツ表示スケジュール
１５２  サイネージ管理プログラム
１５４  コンテンツ配信プログラム
２０  表示装置
２１０  制御部
２２０  通信部
２３０  表示部
２４０  記憶部
２４２  コンテンツデータ格納領域
２４４  コンテンツ表示スケジュール
２５２  コンテンツ表示プログラム
３０  端末装置
【図１】
2018055276.tif 000003
【図２】
2018055276.tif 000004
【図３】
2018055276.tif 000005
【図４】
2018055276.tif 000006
【図５】
2018055276.tif 000007
【図６】
2018055276.tif 000008
【図７】
2018055276.tif 000009
【図８】
2018055276.tif 000010
【図９】
2018055276.tif 000011
【図１０】
2018055276.tif 000012
【図１１】
2018055276.tif 000013
【図１２】
2018055276.tif 000014
【図１３】
2018055276.tif 000015
【図１４】
2018055276.tif 000016
【図１５】
2018055276.tif 000017
【図１６】
2018055276.tif 000018
【図１７】
2018055276.tif 000019